(57)【要約】二重の層として提供され、ラベル本体（２）から除去可能な少なくとも１つの領域（３）を規定するために適合されたラベル本体（２）を備え、飲料グラスを規定するために適合される高度で多目的なラベル（１）。
2017519697.tif 000002
【特許請求の範囲】
【請求項１】
二重層として提供され、ラベル本体（２）から除去可能な少なくとも１つの領域（３）を規定するよう適合された前記ラベル本体（２）を備え、ドリンクグラスを規定するよう適合されることを特徴とする、高度で多目的なラベル（１）。
【請求項２】
ドリンクグラスを規定するよう適合された前記少なくとも１つの領域（３）は、前記ラベルから除去可能なよう破線（４）によって前記ラベル本体（２）の隣接する部分に接続されることを特徴とする、請求項１に記載のラベル。
【請求項３】
前記ラベル本体（２）内に規定されたそれぞれの前記領域（３）は内側に折りたたまれた底領域および一度開けられれば前記ラベル本体（２）の前記領域（３）によって提供された前記ドリンクグラスの底を規定するよう適合された折り畳み（６）を有することを特徴とする、請求項１または２に記載のラベル。
【請求項４】
前記破線（４）は実質的に互いに平行で前記ラベル本体（２）の上側縁部および下側縁部に対して直角であることを特徴とする、請求項１から３のいずれかまたは複数に記載のラベル。
【請求項５】
前記ドリンクグラスを規定するよう適合された前記ラベル本体（２）の前記領域（３）は前記ドリンクグラスの壁を規定するよう適合された熱封止側方縁部（７、８）を有し、前記側方縁部（７、８）は前記破線（４）に対して内側にあることを特徴とする、請求項１から４のいずれかまたは複数に記載のラベル。
【請求項６】
前記ラベル本体（２）がボトル（５）の本体の周りに包装される際に、互いに重ねあわされるよう適合された端部（９、１０）を備えることを特徴とする、請求項１から５のいずれかまたは複数に記載のラベル。
【請求項７】
前記熱封止縁部（７、８）は、前記ラベル本体（２）の前記領域（３）によって提供された前記ドリンクグラスの形状を規定することを特徴とする、請求項１から６のいずれかまたは複数に記載のラベル。
【請求項８】
請求項１から７のいずれかまたは複数に記載のラベル（１）を備えることを特徴とする、飲料向けのボトル。
【発明の詳細な説明】
【技術分野】
【０００１】
本発明は特に飲料類のボトルのための高度で多目的なラベルに関する。より具体的には、本発明は飲料を含むボトルに適用され、一度適用されればボトル側に二重の機能を実行するよう適合される。
【背景技術】
【０００２】
公知のように、飲料向けのボトルは市場で広く入手可能であり、通常１．５リットルフォーマットまたは２リットルフォーマットで売られている。
【０００３】
ボトルが、全員がそのボトルで飲みたいと望むグループの人に購入された場合、通常ボトルネックの口に直接唇をつけて飲む人から人へボトルが渡されなければならず、これは病気の移転を導き得る点で衛生上の問題が生じ、またどんなケースでも様々な使用者において他人が既に飲んだボトルで飲むのは不快である。
【０００４】
また、それぞれの人が自分のドリンクグラスで飲めるようボトルの中身を注ぐためのドリンクグラスは常に入手可能とは限らない。
【０００５】
ボトルはボトル本体の周方向に製造者のロゴや飲料の名前などが印刷されたラベルで包装されることも公知である。
【０００６】
そのようなラベルは通常プラスチック製で、互いに熱封止されるためにラベルの互いに対向する２つのフラップが少し重ねあわされるようボトルの周りに包装される。
【発明の概要】
【発明が解決しようとする課題】
【０００７】
本発明の目標は、飲料を含むボトルのための通常のラベルとして、またボトルの中身を飲むためにボトルを人から人へ渡す必要なく複数の人がボトルの中身を飲めるような高度で多目的なラベルを提供することである。
【０００８】
この目標において、本発明の目的はボトルから容易に除去可能な高度で多目的なラベルを提供することである。
【０００９】
本発明の他の目的は異なるフォーマットのボトルに適合される高度で多目的なラベルを提供することである。
【００１０】
本発明の他の目的は高信頼性で、容易かつ実際に実装でき低コストである高度で多目的なラベルを提供することである。
【課題を解決するための手段】
【００１１】
以降でより明らかになるこの目標および他のこれらの目的は、ラベルが二重層として提供され、前記ラベルから除去可能な少なくとも１つの領域を規定するよう適合され、ドリンクグラスを規定するよう適合されるラベル本体を備えることを特徴とする高度で多目的なラベルによってすべて達成される。
【００１２】
発明のさらなる特徴および利点は、添付の図面内に非限定的な例として図示された本発明による、好ましいが排他的でない実施形態の描写からより明らかになるであろう。
【図面の簡単な説明】
【００１３】
【図１】本発明によるラベルの平面図である。
【図２】本発明によるラベルの斜視図である。
【図３】本発明によるラベルの側面図である。
【図４】ボトルに適用された本発明によるラベルを示す。
【図５】ボトルに適用された本発明によるラベルを使用する第１ステップを示す。
【図６】ボトルに適用された本発明によるラベルを使用する第２ステップを示す。
【図７】ボトルに適用された本発明によるラベルを使用する最終ステップを示す。
【発明を実施するための形態】
【００１４】
図を参照して、参照番号１で概ね指定される本発明によるラベルは、破線４の存在によって引き裂いて除去可能であり、かつ、一度ラベルの周囲の部分から除去されればラベルが適用されたボトル内にある飲料を含むドリンクグラスに変形されるよう適合されたラベル本体２の少なくとも１つの領域３を規定するために、少なくとも部分的に二重層内に提供されたラベル本体２を備える。
【００１５】
図において、ボトルは概ね参照数字５によって指定される。
【００１６】
好都合に、ラベル本体２はポケットの形態を構成し、ドリンクグラスを規定するよう適合された少なくとも１つの領域３を有し、より好ましくは、側面から側面へ相互に配置され、破線４によってすべて互いに分離された複数の領域３を有し、それぞれの領域３はボトルの内容物のためのドリンクグラスを規定するよう適合される。
【００１７】
図３における側面図はドリンクグラスを規定するために適合されたラベル本体２の二重層を示す。二重層ラベル１は、ラベル本体２の領域３が手動で広げられた時に、ドリンクグラスが平らな表面上に置くことを可能とするドリンクグラスの底表面６を規定することを可能とする折り畳み６によって低い領域で内側に折りたたまれる。
【００１８】
好都合に、本発明によるラベル本体２から得られるドリンクグラスの関連する数を順に規定する異なる領域３を規定する破線４は、好都合に、領域３がその双方の側面それぞれの熱封止線７および８で規定され、ドリンクグラス本体を規定するよう適合される一方で、互いに平行で、ラベルの上側および下側縁部に対して実質的に直角である。
【００１９】
図２は本発明によるラベルの斜視図であり、ラベルはボトルから除去されるが、領域３によって規定される様々なドリンクグラスはまだ互いに分離されておらず、こうしてそれぞれのドリンクグラスの側方縁部を規定する破線４および熱封止線７および８の双方が示される。
【００２０】
ドリンクグラスの側方の縁部７、８は破線４に対して内側にある。
【００２１】
ラベル本体２はさらに、その互いに対向する端部においてラベルが一度ボトル５に適用されればラベルをボトル周りに包装可能なように適合された第１の領域９および第２の領域１０を備える。
【００２２】
実質上、ラベル本体２の２つの領域または部分９および１０はラベル本体２がボトル５の周りに包装される際に互いに重なり合うよう適合される。
【００２３】
通常本発明によるラベル本体２上に規定可能な領域３の数は、得ることが望まれるドリンクグラスの幅寸法によってのみ、自然にはラベルの適用されるべきボトルの周方向の寸法によって限定される。
【００２４】
図４から図７は本発明によるラベルのさらなる使用を示す。
【００２５】
図５および図６で、まず初めにボトル５に適用されたラベルは、その後ボトルから取り除かれ、一度取り除かれたラベルは、領域３で規定された異なるドリンクグラスに分離される。この点において、図３に描かれたように、それぞれのドリンクグラスはドリンクグラスの底６を規定する内側に向かった折り畳みを開くよう指で広げられる。この点において、個々のドリンクグラスは通常通り使用可能である。
【００２６】
実際本発明によるラベルは、ボトル入り飲料を得た使用者がそれぞれ自分のドリンクボトルを使用できて完全な衛生のもとでこれを飲めるよう二重層ラベルから始まる少なくとも１の、好ましくは複数のドリンクグラスを規定可能な点において設定された目標や目的を完全に達成する。
【００２７】
こうして認識されたラベルは数多くの修正や変形を受け入れる余地がありそのすべてが添付の請求項に含まれる。
【００２８】
さらに、すべての詳細は他の技術的に同等の要素に取り換えられるかもしれない
【００２９】
実際、採用される素材および付随する寸法や形状は任意の要求事項や最新技術によるかもしれない
【００３０】
任意の請求項に示された技術的特徴が参照符号でフォローされている部分においては、これらの参照符号は単に請求項の理解度を増す目的で含められ、したがってそのような参照符号はそのような参照符号による例を介して認識されたそれぞれの要素の解釈を何ら限定するものではない。
【図１】
2017519697.tif 000003
【図２】
2017519697.tif 000004
【図３】
2017519697.tif 000005
【図４】
2017519697.tif 000006
【図５】
2017519697.tif 000007
【図６】
2017519697.tif 000008
【図７】
2017519697.tif 000009
【国際調査報告】
2017519697.tif 000010
2017519697.tif 000011